(57)【要約】【課題】ロール紙が軽くなっても保持部内に留まらせることができるロール紙収納装置を提供する。【解決手段】ロール紙収納装置は、ホッパと、返し壁と、を備える。ホッパは、帯状の紙が巻かれたロール紙を収納する容器であって、上向きに開口しロール紙の投げ込みを受け入れる。返し壁は、前記ホッパ内の紙引出方向下流側に配されて前記ホッパからのロール紙の飛び出しを抑える部材であって、略長方形状で、長手方向をロール紙の幅方向に沿わせ、該長手方向に沿った回動軸まわりに回動自在に前記ホッパに取り付けられ、前記回動軸から遠い長辺が前記回動軸よりも前記紙引出方向上流側に位置し、前記長辺が前記ホッパの外側方向へ向かうよう付勢され、前記長辺が前記ホッパの外へ出ない程度に前記回動の範囲を限られている。【選択図】図９
2015047841.tif 000002
【特許請求の範囲】
【請求項１】
帯状の紙が巻かれたロール紙を収納する容器であって、上向きに開口しロール紙の投げ込みを受け入れるホッパと、
前記ホッパ内の紙引出方向下流側に配されて前記ホッパからのロール紙の飛び出しを抑える部材であって、略長方形状で、長手方向をロール紙の幅方向に沿わせ、該長手方向に沿った回動軸まわりに回動自在に前記ホッパに取り付けられ、前記回動軸から遠い長辺が前記回動軸よりも前記紙引出方向上流側に位置し、前記長辺が前記ホッパの外側方向へ向かうよう付勢され、前記長辺が前記ホッパの外へ出ない程度に前記回動の範囲を限られた返し壁と、
を備えるロール紙収納装置。
【請求項２】
前記返し壁の前記ホッパから突出する部分の短手方向寸法が、前記ホッパの底から持ち上がるロール紙の半径の最大値よりも長い
ことを特徴とする請求項１に記載のロール紙収納装置。
【請求項３】
前記返し壁の前記長手方向の寸法が、ロール紙の幅の三分の二以上である
ことを特徴とする請求項１または２に記載のロール紙収納装置。
【請求項４】
前記ホッパ内の紙引出方向下流側の面に対して回転自在であって、軸をロール紙の幅方向に略平行に配されたコロをさらに備える
請求項１〜３のいずれか１つに記載のロール紙収納装置。
【請求項５】
請求項１〜４のいずれか１つに記載のロール紙収納装置と、
前記ロール紙収納装置から繰り出された紙に印刷を施す印刷部と、
を備えるプリンタ。
【発明の詳細な説明】
【技術分野】
【０００１】
本発明の実施形態は、ロール紙収納装置およびプリンタに関する。
【背景技術】
【０００２】
従来、多くのレシートプリンタで採用されているロール紙のセット方式に、投げ込み式がある。投げ込み式とは、ロール紙に回動軸を通したりすることなしに窪み形状の保持部に置き、ロール紙からある程度紙を引き出して蓋を閉めるなどにより、ロール紙の保持と紙の印字部へのセットとを同時に完了する、というような方式である。
【０００３】
投げ込み式の場合、ロール紙が保持部内の所定位置に固定されない。このため、ロール紙は、消費されて軽くなるにつれて、保持部内でより移動するようになる。そして、ロール紙は、ある程度まで軽くなると、保持部の底から持ち上がり、ときに保持部と蓋との間に嵌まり込むことがある。この場合には、紙詰まりの状態となるので、対処が必要になってしまい、煩雑である。
【発明の概要】
【発明が解決しようとする課題】
【０００４】
本発明が解決しようとする課題は、ロール紙が軽くなっても保持部内に留まらせることができるロール紙収納装置を提供することである。
【課題を解決するための手段】
【０００５】
実施形態のロール紙収納装置は、ホッパと、返し壁と、を備える。ホッパは、帯状の紙が巻かれたロール紙を収納する容器であって、上向きに開口しロール紙の投げ込みを受け入れる。返し壁は、前記ホッパ内の紙引出方向下流側に配されて前記ホッパからのロール紙の飛び出しを抑える部材であって、略長方形状で、長手方向をロール紙の幅方向に沿わせ、該長手方向に沿った回動軸まわりに回動自在に前記ホッパに取り付けられ、前記回動軸から遠い長辺が前記回動軸よりも前記紙引出方向上流側に位置し、前記長辺が前記ホッパの外側方向へ向かうよう付勢され、前記長辺が前記ホッパの外へ出ない程度に前記回動の範囲を限られている。
【図面の簡単な説明】
【０００６】
【図１】図１は、実施形態のプリンタの内部構造を示す縦断右側面図である。
【図２】図２は、実施形態のホッパの外観を示す斜視図である。
【図３】図３は、実施形態のホッパの構造を示す縦断右側面図である。
【図４】図４は、実施形態の返し壁の取り付け状態を示す縦断右側面図である。
【図５】図５は、実施形態の返し壁の外観を示す斜視図である。
【図６】図６は、実施形態のロール紙投入時の返し壁の状態を示す図である。
【図７】図７は、実施形態のロール紙の使い始めの返し壁の状態を示す図である。
【図８】図８は、実施形態のロール紙が持ち上がらない程度に消費されているときの返し壁の状態を示す図である。
【図９】図９は、実施形態のロール紙が消費されて持ち上がったときの返し壁の状態を示す図である。
【図１０】図１０は、図９の要部を拡大した図である。
【発明を実施するための形態】
【０００７】
実施形態について図面を用いて説明する。図１は、実施形態のプリンタ１の内部構造を示す縦断右側面図である。プリンタ１は、ロール紙収納部（ロール紙収納装置）２と、印刷部３と、搬送路４と、排紙口５と、を備えている。
【０００８】
ロール紙収納部２は、帯状の紙が巻かれたロール紙を収納する。印刷部３は、ロール紙収納部２内のロール紙から繰り出された紙に印刷を施す。搬送路４は、ロール紙収納部２から印刷部３を経て排紙口５まで紙が通る経路である。排紙口５は、印刷済みの紙が排紙される口である。
【０００９】
印刷部３は、サーマルヘッド３１と、プラテンローラ３２とを備えている。サーマルヘッド３１は、感熱紙やインクリボン（不図示）に熱を与えることにより、印刷を行う。プラテンローラ３２は、サーマルヘッド３１に紙を押し当てるとともに、紙を搬送する。
【００１０】
ロール紙収納部２は、ホッパ２１と、返し壁２２とを備えている。図２は、ホッパ２１の外観を示す斜視図である。図３は、ホッパ２１の構造を示す縦断右側面図である。
【００１１】
ホッパ２１は、上向きに開口しロール紙の投げ込みを受け入れ、ロール紙を収納する容器である。ホッパ２１の深さは、使い始めのロール紙の巻き芯が開口よりも下になる程度である。
【００１２】
ホッパ２１の底面２１ａは、紙搬送方向下流側へ向かって下る傾斜面とされている。これにより、ロール紙は、ホッパ２１の前面２１ｂすなわち紙搬送方向下流側の面の方へ、寄る。また、ホッパ２１の前面２１ｂは、底面２１ａとの間に、垂直に近い鈍角をなしている。
【００１３】
ロール紙収納部２は、ホッパ２１の前面２１ｂに、コロ２３をさらに備えている。コロ２３は、回転軸をロール紙の幅方向に沿わせて配されていて、回転軸回りに回転自在である。このようなコロ２３は、ロール紙外周面と前面２１ｂとの間に生じる摩擦力を軽減する。
【００１４】
図４は、返し壁２２の取り付け状態を示す縦断右側面図である。図５は、返し壁２２の外観を示す斜視図である。返し壁２２は、ホッパ２１内の紙引出方向下流側に配されていて、ホッパ２１からのロール紙の飛び出しを抑える。
【００１５】
返し壁２２は、略長方形状で、長手方向をロール紙の幅方向に沿わせ、該長手方向に沿った回動軸２２１まわりに回動自在に、ホッパ２１に取り付けられている。回動軸２２１は、返し壁２２の長手方向の両端に設けられている。
【００１６】
返し壁２２は、回動軸２２１から遠い長辺２２２によって、ロール紙に触れる。この長辺２２２は、回動軸２２１よりも紙引出方向上流側に位置する。長辺２２２の長さ、つまり返し壁２２の長手方向の寸法は、ロール紙をがたつかせずに十分な安定感をもって押えるために、ロール紙の幅の三分の二以上とされている。
【００１７】
ここで、返し壁２２は、付勢部材２２３をさらに備え、この付勢部材２２３により、長辺２２２がホッパ２１の外側方向へ向かう方向へ付勢されている。付勢部材２２３は、例えば、回動軸２２１と同心軸の突起に巻きつき、一端をホッパ２１に固定され、他端が返し壁２２の内側面を押圧するトーションばねである。
【００１８】
そして、返し壁２２は、回動止め２２４を有している。回動止め２２４は、回動軸２２１から外周面までの距離が他の回動角度位置に比して大きくなっている。この回動止め２２４は、所定角度で、ホッパ２１に形成された回動止め受け面２１１に干渉することによって、長辺２２２がホッパ２１の外へ出ない程度に、返し壁２２の回動の範囲を限っている。
【００１９】
図６は、ロール紙投入時の返し壁２２の状態を示す図である。図７は、ロール紙の使い始めの返し壁２２の状態を示す図である。図８は、ロール紙が持ち上がらない程度に消費されているときの返し壁２２の状態を示す図である。図９は、ロール紙が消費されて持ち上がったときの返し壁２２の状態を示す図である。
【００２０】
以下、説明の便宜上、消費されて軽くなることによりホッパ２１の底から持ち上がったときのロール紙を持ち上がり時ロール紙と表す。対して、ホッパ２１に投入されるときの使い始める前のロール紙を消費前ロール紙と表す。さらに、ロール紙から引き出されて巻かれていない状態になった部分の紙を引き出し紙と表す。
【００２１】
図６に示すように、付勢部材２２３の付勢力は、消費前ロール紙が返し壁２２に乗った場合に、返し壁２２が付勢力に逆らって最も回動する程度に、弱く設定されている。また、図９に示すように、付勢部材２２３の付勢力は、持ち上がり時ロール紙が引き出し紙にぶら下がる状態となったときに、返し壁２２が、回動止め２２４と回動止め受け面２１１とが干渉する角度もしくはその近くまで復帰する程度に、強く設定されている。
【００２２】
ここで、図１０は、図９の要部を拡大した図である。図１０に示すように、前面２１ｂは、上部に、傾斜面２４を有している。傾斜面２４は、持ち上がり時ロール紙の挙動を、返し壁２２との間で安定させるために設けられている。傾斜面２４は、返し壁２２取り付け位置の下の所定範囲（持ち上がり時ロール紙が接する程度の範囲）に、設けられ、他の範囲（前面２１ｂの下部）に比べて上向きにされている。
【００２３】
返し壁２２の傾斜面２４から突出する部分の短手方向寸法は、持ち上がり時ロール紙の半径ｒの最大値よりも長くしてある。ここで、短手方向とは、長手方向に直交する方向である。また、持ち上がり時ロール紙の半径ｒは、ロール紙の紙や芯の種類や紙の搬送速度などの各種要因によって変化するため、考えられる値の最大値としている。
【００２４】
これにより、返し壁２２の長辺２２２がロール紙を押す力Ｆは、ロール紙と傾斜面２４との接点から、ロール紙の中心よりもやや離れた位置に向かっている。
【００２５】
このような構成において、ロール紙収納部２にロール紙を補充ないし交換するにあたっては、図６に示すようにホッパ２１にロール紙を投げ込む。このとき、返し壁２２にロール紙が当たっても、返し壁２２はホッパ２１の内側へ回動し、ロール紙投入を阻害しない。また、ロール紙の投入が完了し、ロール紙が返し壁２２に触れなくなると、図７に示すように、返し壁２２は、付勢部材２２３の付勢力により、回動止め２２４と回動止め受け面２１１とが干渉する角度に復帰する。
【００２６】
消費前ロール紙からの引き出し紙は、図７に示すように、返し壁２２に干渉しない。図８に示すように、ロール紙がある程度消費されると、ロール紙の径が小さくなるため、引き出し紙の高さが下がるが、この状態では、引き出し紙と干渉する返し壁２２は、ホッパ２１の内側へ回動し、引き出し紙に弾性的に接する。これにより、返し壁２２は、引き出し紙の弛みや引きつれを吸収、緩和する。つまり、返し壁２２は、搬送の挙動（搬送開始、搬送停止、および逆送）変更による衝撃を緩衝するダンパの役割をも果たす。
【００２７】
ロール紙がある程度消費されると、ロール紙が軽くなり、紙が引き出される際にロール紙が前面２１ｂを登りやすくなる。しかしながら、本実施形態では、図８に示すように、小さくなってきたロール紙が触れる位置に、コロ２３を配している。コロ２３により、ロール紙と前面２１ｂとの間で摩擦力が生じにくくなる。これにより、ロール紙が前面２１ｂを登らないようにすることができる。
【００２８】
ロール紙がさらに消費されると、図９に示すように、ロール紙が持ち上がって、引き出し紙にロール紙がぶら下がる状態になる。本実施形態では、返し壁２２が、先端（長辺２２２）がロール紙の中心より遠い位置に至る状態で、ロール紙を押える。これにより、ロール紙は、持ち上がり時以降、返し壁２２により押えられ続け、ホッパ２１から脱することなく、最後まで消費される。
【００２９】
このように、本実施形態によれば、主に返し壁２２の位置や形状の工夫により、消費されて軽くなったロール紙が、ホッパ２１の底から持ち上がってもホッパ２１内から脱することをなくし、紙の斜行やロール紙を紙詰まりをさせずに最後まで使い切ることが可能になる。よって、紙の斜行やロール紙詰まりによる印刷品質劣化を防止でき、良好な印刷品質を得ることができる。
【００３０】
さらに、返し壁２２により、ダンパとしての機能をも得ることができる。これにより、ロール紙から引き出した紙の弛みや引きつれを減らすことができるとともに、返し壁２２によって紙に折り目がついたり紙が擦れて痛むなどの紙が劣化する不都合を減らすことができる。よって、紙の弛みや引きつれ或いは紙の劣化による印刷品質劣化を防止でき、良好な印刷品質を得ることができる。
【００３１】
また、本実施形態によれば、コロ２３を設けているので、持ち上がり時ロール紙の最大径を小さくすることができるため、返し壁２２の短手方向寸法を小さくすることができる。これにより、ロール紙投げ込み時に返し壁２２が邪魔になりにくくなる。
【００３２】
なお、本実施形態では、付勢部材２２３は例えばトーションばねであるとしたが、実施にあたっては、弦巻ばねや板ばねを用いて付勢してもよい。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１…プリンタ、
２…ロール紙収納部、
２１…ホッパ、２１ａ…底面、２１ｂ…前面、
２１１…回動止め受け面、
２２…返し壁、
２２１…回動軸、２２２…長辺、２２３…付勢部材、２２４…回動止め
２３…コロ、
２４…傾斜面、
３…印刷部、
３１…サーマルヘッド、３２…プラテンローラ、
４…搬送路、
５…排紙口。
【先行技術文献】
【特許文献】
【００３５】
【特許文献１】特開２０１０−１８４３８８号公報
【図１】
2015047841.tif 000003
【図２】
2015047841.tif 000004
【図３】
2015047841.tif 000005
【図４】
2015047841.tif 000006
【図５】
2015047841.tif 000007
【図６】
2015047841.tif 000008
【図７】
2015047841.tif 000009
【図８】
2015047841.tif 000010
【図９】
2015047841.tif 000011
【図１０】
2015047841.tif 000012